【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
前記有利状態に制御するか否かを決定する決定手段と、
前記有利状態に制御されるか否かに基づいて、複数回の可変表示に亘って予告演出を実行するか否かと、実行する場合における予告演出の態様を決定する予告演出決定手段と、
前記予告演出決定手段の決定結果に基づいて、複数回の可変表示に亘って予告演出を実行する予告演出実行手段とを備え、
前記予告演出決定手段は、
予告演出の態様に基づいて予め分類された複数種類の予告演出種別に予告種別決定値が割り当てられた予告種別決定用データと、前記予告種別決定値と比較される予告種別決定用乱数とを用いて、いずれかの予告演出種別に決定する予告種別決定手段と、
前記複数種類の予告演出種別毎に予告演出の態様に予告態様決定値が割り当てられた予告態様決定用データと、前記予告態様決定値と比較される予告態様決定用乱数とを用いて、前記予告種別決定手段により決定された予告演出種別に含まれる予告演出の態様のうちいずれかに決定する予告態様決定手段と、
前記予告種別決定手段が用いる予告種別決定用データを前記複数種類の予告演出種別に対する予告種別決定値の割当てが異なる他の予告種別決定用データに変更する予告種別決定用データ変更手段とを含み、
前記予告態様決定手段は、前記予告種別決定手段により決定された予告演出種別に対応する予告態様決定用データとして、前記予告種別決定用データ変更手段により変更された予告種別決定用データにかかわらず共通の予告態様決定用データを用いて、予告演出の態様を決定し、
前記予告演出実行手段により前記予告演出が実行される複数回の可変表示に亘り、前記予告種別決定用データ変更手段による前記予告種別決定用データの変更を制限する制限手段をさらに備える、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、可変表示を実行し、遊技者にとって有利な有利状態（例えば大当り遊技状態となる）に制御可能な遊技機（例えばパチンコ遊技機１など）であって、前記有利状態に制御するか否かを決定する決定手段（例えばステップＳ２４１の処理を実行する遊技制御用マイクロコンピュータ１００のＣＰＵ１０３など）と、前記有利状態に制御されるか否かに基づいて、複数回の可変表示に亘って予告演出を実行するか否かと、実行する場合における予告演出の態様を決定する予告演出決定手段（例えばステップＳ４３７〜Ｓ４３９の処理を実行する演出制御用ＣＰＵ１２０など）と、前記予告演出決定手段の決定結果に基づいて、複数回の可変表示に亘って予告演出を実行する予告演出実行手段（例えばステップＳ４６２〜Ｓ４６５の処理を実行する演出制御用ＣＰＵ１２０など）とを備え、前記予告演出決定手段は、予告演出の態様に基づいて予め分類された複数種類の予告演出種別（例えば連続予告種別ＲＣＡ〜ＲＣＣ、単独予告種別ＳＣＡ〜ＳＣＣなど）に予告種別決定値が割り当てられた予告種別決定用データ（例えば連続予告種別決定テーブルＴＲＣ１や単独予告種別決定テーブルＴＳＣ１を構成するテーブルデータなど）と、前記予告種別決定値と比較される予告種別決定用乱数（例えば連続予告種別決定用の乱数値ＳＲ１−１や単独予告種別決定用の乱数値ＳＲ２−１を示す数値データなど）とを用いて、いずれかの予告演出種別に決定する予告種別決定手段（例えばステップＳ５４６〜Ｓ５４９、Ｓ５７１〜Ｓ５７４の処理を実行する演出制御用ＣＰＵ１２０など）と、前記複数種類の予告演出種別毎に予告演出の態様に予告態様決定値が割り当てられた予告態様決定用データ（例えば連続予告パターン決定テーブルＴＰＲ１や単独予告パターン決定テーブルＴＰＳ１を構成するテーブルデータなど）と、前記予告態様決定値と比較される予告態様決定用乱数（例えば連続予告パターン決定用の乱数値ＳＲ１−２や単独予告パターン決定用の乱数値ＳＲ２−２を示す数値データなど）とを用いて、前記予告種別決定手段により決定された予告演出種別に含まれる予告演出の態様のうちいずれかに決定する予告態様決定手段（例えばステップＳ５５１〜Ｓ５５３、Ｓ５７６〜Ｓ５７８の処理を実行する演出制御用ＣＰＵ１２０など）と、前記予告種別決定手段が用いる予告種別決定用データを前記複数種類の予告演出種別に対する予告種別決定値の割当てが異なる他の予告種別決定用データ（例えば連続予告種別決定テーブルＴＲＣ１で連続予告種別決定用データ設定ＭＲＡ〜ＭＲＣに応じて構成されたテーブルデータや単独予告種別決定テーブルＴＳＣ１で単独予告種別決定用データ設定ＭＳＡ〜ＭＳＣに応じて構成されたテーブルデータなど）に変更する予告種別決定用データ変更手段（例えばステップＳ４３７のデータ設定変更処理を実行する演出制御用ＣＰＵ１２０など）とを含み、前記予告態様決定手段は、前記予告種別決定手段により決定された予告演出種別に対応する予告態様決定用データとして、前記予告種別決定用データ変更手段により変更された予告種別決定用データにかかわらず共通の予告態様決定用データを用いて、予告演出の態様を決定し（例えば連続予告パターン決定テーブルＴＰＲ１では連続予告種別決定用データ設定ＭＲＡ〜ＭＲＣにかかわらず連続予告種別ＲＣＡ〜ＲＣＣに応じて各連続予告パターンに決定値が割り当てられており、また、単独予告パターン決定テーブルＴＰＳ１では単独予告種別決定用データ設定ＭＳＡ〜ＭＳＣにかかわらず単独予告種別ＳＣＡ〜ＳＣＣに応じて各単独予告パターンに決定値が割り当てられている）、前記予告演出実行手段により前記予告演出が実行される複数回の可変表示に亘り、前記予告種別決定用データ変更手段による前記予告種別決定用データの変更を制限する制限手段（例えばステップＳ５１２におけるＹｅｓの判定によりステップＳ５１３〜Ｓ５２０の処理を実行せず、また、ステップＳ５２２におけるＹｅｓの判定によりステップＳ５２３〜Ｓ５３０の処理を実行しない演出制御用ＣＰＵ１２０など）をさらに備える。
【手続補正３】
【補正対象書類名】明細書
【補正対象項目名】０００８
【補正方法】変更
【補正の内容】
【０００８】
このような構成によれば、予告種別決定手段は、予告演出の態様に基づいて予め分類された複数種類の予告演出種別に予告種別決定値が割り当てられた予告種別決定用データと、予告種別決定値と比較される予告種別決定用乱数とを用いて、いずれかの予告演出種別に決定する。そして、予告種別決定手段が用いる予告種別決定用データを複数種類の予告演出種別に対する予告種別決定値の割当てが異なる他の予告種別決定用データに変更する。その一方で、予告種別決定手段により決定された予告演出種別に対応する予告態様決定用データとして、変更された予告種別決定用データにかかわらず共通の予告態様決定用データを用いて、予告演出の態様が決定される。したがって、予告演出種別の決定割合を変化させて予告演出による遊技の興趣を向上させる効果を維持しつつ、各予告演出種別における予告演出の態様の決定割合は変化しないようにすることで、遊技者は注目すべき予告演出を容易に認識することができる。また、予告演出の実行が開始されてから終了するまでに予告演出の決定割合は変化しないようにして、遊技者は注目すべき予告演出を容易に認識することができる。